(57)【要約】【解決手段】吐出可能な内容物を保存するための空洞を有する本体と、空洞の開口部を画定する本体のリムと、本体のリムから離れるように外方に延びるフランジと、吐出可能な内容物を空洞内に密封するためにフランジに固定されたカバーと、本体に位置し、破断経路を有する破断部分であって、破断部分の両側に所定レベルを超える力が加えられると、容器が破断経路に沿って破断する、破断部分とを含む容器であって、容器が破断する破断経路が、１つの平面内に破断点を有する主要部分と、別の平面内に終端を各々有する端部分とを含むように、破断経路が単一平面を越えて延びる、容器。【選択図】図５
2016520024.tif 000002
【特許請求の範囲】
【請求項１】
吐出可能な内容物を保存するための空洞を有する本体と、
前記空洞の開口部を画定する前記本体のリムと、
前記本体の前記リムから離れるように外方に延びるフランジと、
前記吐出可能な内容物を前記空洞内に密封するために前記フランジに固定されたカバーと、
前記本体に位置し、前記破断経路を有する破断部分であって、前記破断部分の両側に所定レベルを超える力が加えられると、前記容器が前記破断経路に沿って破断する、破断部分と
を含む容器であって、
前記容器が破断する前記破断経路が、１つの平面内に破断点を有する主要部分と、別の平面内に終端を各々有する端部分とを含むように、前記破断経路が単一平面を越えて延びる、容器。
【請求項２】
前記破断点が前記破断経路の前記主要部分の中央に位置し、前記力が加えられると、前記破断が、前記破断点で開始し、次いで、最初の進行方向が第１の平面を画定するように前記破断経路に沿って外方に伝播し、かつ、前記破断は、最終的な進行方向が前記第１の平面と異なる第２の平面を画定するように前記端部分の各終端で完了する、請求項１に記載の容器。
【請求項３】
前記破断経路が、前記第１の平面から前記第２の平面に徐々に移行する、請求項２に記載の容器。
【請求項４】
前記破断経路が、前記第１の平面から前記第２の平面に急に移行する、請求項２に記載の容器。
【請求項５】
前記破断経路の前記端部分の前記終端が前記フランジに隣接して位置し、かつ前記第２の平面が前記フランジに直交する、請求項２〜４のいずれか一項に記載の容器。
【請求項６】
前記第１の平面と前記第２の平面との間の角度が１１０°〜１５０°の範囲である、請求項２〜５のいずれか一項に記載の容器。
【請求項７】
前記第１の平面と前記第２の平面との間の前記角度が約１３０°である、請求項６に記載の容器。
【請求項８】
前記破断経路は、前記破断点が前記Ｖの頂点に位置する略Ｖ字形である、請求項１〜７のいずれか一項に記載の容器。
【請求項９】
前記Ｖ字形の破断経路の側辺部分が、湾曲しており、それにより円弧状の破断経路を画定する、請求項８に記載の容器。
【請求項１０】
前記容器から突出する注出口は、前記破断経路が完全に破断されたときに形成される、請求項１〜９に記載の容器。
【請求項１１】
前記破断経路の前記主要部分が、前記注出口の上縁部を画定し、かつ前記注出口の前記上縁部が、前記容器の前記本体から一定の距離だけ前記リムの下方に突出する、請求項１０に記載の容器。
【請求項１２】
前記本体が開封用タブを更に含み、前記破断部分が容器部分と前記開封用タブとの中間に位置し、かつ、前記破断経路が完全に破断しかつ前記破断経路の前記端部分の前記終端における前記フランジが完全に破断したときに、前記開封用タブが、前記フランジから前記カバーを除去して、それにより前記空洞を露出させるハンドルを形成する、請求項１〜１１のいずれか一項に記載の容器。
【発明の詳細な説明】
【技術分野】
【０００１】
本発明は、一般に容器に関し、より詳細には、破断可能な開口部付き容器に関する。
【背景技術】
【０００２】
容器は、食品または飲料を含む多くの製品を保存するために使用される。プラスチック容器は、その軽量構造および低い生産コストと材料コストのためにしばしば使用される。プラスチック製密封容器により、消費者が後の段階での消費のために食品や飲料を簡単に持ち運ぶことが可能となる。代替的に、プラスチック製密封容器は、例えば、航空機、列車などの場所でまたはピクニックで一人分の量の食品または飲料が消費されることを可能にする。
【０００３】
液体を収容する密封容器は、多くの場合、液体が容器から自由に流れることを可能にするために、容器覆い全体または容器覆いの大部分が除去される必要がある。小さな開口部のみが設けられる場合には、このことが、容器から液体が注がれるときに液体に「ゴボ、ゴボ」と音を立てる種類の影響をしばしば生じさせる不均一な流速をもたらす。このことは、容器から飲むことを困難にする可能性があるため望ましくない。また、小さな開口部および不均一な流速のため、使用者が容器を必要以上に傾ける可能性があり、このことにより、液体が注がれるときに液体が容器からこぼれ出る可能性がある。このこともまた望ましくない。追加的に、液体が吐出されることを可能にするために容器覆いの大部分が除去される場合には、容器内の液面は、覆いが除去されたときに液体が容器から「こぼれ落ちる」またはこぼれ出るのを回避するためにより低くなければならない。小さな開口部を備えた現在利用できる容器からの流体の流れは自由に流れない。
【０００４】
小さな開口部を備えた現在利用できる容器内での流体の流れを改善する方法は、液体の流れが容器から外へ出るのを補助するために、液体にまたは開口部付近の容器内側に界面活性剤を添加することを含む。消費者が界面活性剤を摂取するので、界面活性剤を添加することは、明らかに望ましくない。
【０００５】
本明細書中の文書、装置、行為または知識についてのいかなる記述も、本発明の背景を説明するために含められている。それら内容のいずれかが、本明細書における特許請求の範囲の優先日以前にオーストラリアまたはその他の国において、先行技術基準の一部または関連技術の共通の一般知識を形成していたことを認めるものと解釈されるべきではない。
【発明の概要】
【発明が解決しようとする課題】
【０００６】
本発明の目的は、密封容器であって、この容器から液体がより円滑にかつ均一に注がれる密封容器を作製することである。
【課題を解決するための手段】
【０００７】
本発明の態様では、吐出可能な内容物を保存するための空洞を有する本体と、空洞の開口部を画定する本体のリムと、本体のリムから離れるように外方に延びるフランジと、吐出可能な内容物を空洞内に密封するためにフランジに固定されたカバーと、本体に位置し、破断経路を有する破断部分であって、破断部分の両側に所定レベルを超える力が加えられると、容器が破断経路に沿って破断する、破断部分とを含む容器であって、容器が破断する破断経路が、１つの平面内に破断点を有する主要部分と、別の平面内に終端を各々有する端部分とを含むように、破断経路が単一平面を越えて延びる、容器が提供される。
【０００８】
好ましくは、破断点は、破断経路の主要部分の中央に位置する。前記力が加えられると、破断が、破断点で開始し、次いで、最初の進行方向が第１の平面を画定するように破断経路に沿って外方に伝播する。破断は、最終的な進行方向が第１の平面と異なる第２の平面を画定するように端部分の各終端で完了する。
【０００９】
破断経路は、第１の平面から第２の平面に徐々に移行することが好ましい。代替的に、破断経路は、第１の平面から第２の平面に急に移行する。
【００１０】
破断経路の端部分の終端がフランジに隣接して位置しかつ第２の平面がフランジに直交することが望ましい。
【００１１】
第１の平面と第２の平面との間の角度は、望ましくは１１０°〜１５０°の範囲、好ましくは約１３０°である。
【００１２】
破断経路は、破断点がＶの頂点に位置する略Ｖ字形であることが好ましい。より好ましくは、破断経路は側辺部分を有し、Ｖ字形の破断経路の側辺部分は、湾曲していることが好ましく、それにより円弧状の破断経路を画定する。
【００１３】
好ましくは、容器から突出する注出口は、破断経路が完全に破断されたときに形成される。
【００１４】
破断経路の主要部分が、好ましくは注出口の上縁部を画定し、かつ注出口の上縁部が、容器の本体から一定の距離だけリムの下方に突出する。
【００１５】
本体は更に開封用タブを含んでもよく、破断部分が容器部分と開封用タブとの中間に位置し、かつ、破断経路が完全に破断しかつ破断経路の端部分の終端におけるフランジが完全に破断したときに、開封用タブが、フランジからカバーを除去して、それにより空洞を露出させるハンドルを形成する。
【００１６】
便宜上、本発明の好ましい実施形態を図示する添付図面に関して、本発明を更に詳細に説明する。本発明の他の実施形態も可能であり、結果として、添付図面の特殊性は、本発明の前述の説明の一般性に優先するものと理解されるべきではない。
【図面の簡単な説明】
【００１７】
【図１】図１は、密閉形態にある本発明の実施形態による容器の底面斜視図である。
【図２】図２は、開封形態の段階における図１の容器の斜視図である。
【図３】図３は、開封形態の段階における図１の容器の斜視図である。
【図４】図４は、開封形態の段階における図１の容器の斜視図である。
【図５】図５は、開封形態の段階における図１の容器の斜視図である。
【図６】図６は、完全な開封形態にある図１の容器の斜視図である。
【図７】図７は、図１の容器の一部の縦断面図を示す。
【図８】図８は、図２の容器の一部の縦断面図を示す。
【図９】図９は、図３の容器の一部の縦断面図を示す。
【図１０】図１０は、図４の容器の一部の縦断面図を示す。
【図１１】図１１は、図５の容器の一部の縦断面図を示す。
【図１２】図１２は、図６の容器の一部の縦断面図を示す。
【図１３】図１３は、容器の破断経路を示す図７の部分拡大（断面）図を示す。
【図１４】図１４は、容器の注出口を示す、図６の容器の部分正面縦断面図を示す。
【図１５】図１５は、容器の注出口を示す、図６の容器の部分正面図を示す。
【図１６】図１６は、覆いなしの本発明の別の実施形態による容器の上面斜視図を示す。
【図１７】図１７は、覆いのある密閉形態にある図１６の容器の側面図である。
【図１８】図１８は、図１７の容器の底面斜視図である。
【図１９】図１９は、部分的開封形態にある図１７の容器の側面図である。
【図２０】図２０は、図１９の容器の底面斜視図である。
【図２１】図２１は、完全な開封形態にある図１７の容器の側面図である。
【図２２】図２２は、図２１の容器の底面斜視図である。
【発明を実施するための形態】
【００１８】
本発明は、参照により本明細書に組み込まれる、米国特許出願公開第２０１２／０２２３０７５号明細書に開示された容器を改良したものである。
【００１９】
ここで、図１が吐出可能な物品を（図７に示す）空洞７内に保存および密封するための容器２を示している、好ましい実施形態を参照しながら本明細書を説明する。図１の容器は密閉形態にある。
【００２０】
図１および図７を参照するに、容器２は、図１および図７に示すような、吐出可能な物品を受け入れるための空洞７を画定する本体４を含む。本体４は、開口部（図示せず）を画定するリム３を有する。容器２のフランジ８はリム３から延びる。フランジ８は、容器側表面９とカバー側表面１０とを有する。フランジ８のカバー側表面１０は、カバー側表面１０にカバー１２が固定されるためにほぼ平坦である。カバー１２は、本体４に封着されて、吐出可能な物品を保存するための密封環境を提供する。物品に簡単にアクセスするために、容器２は、特定の破断経路１６に沿って破断可能である。容器内の密封環境の完全性を確保するために、本体４の壁はほぼ均一な厚さを有する。
【００２１】
本体４は、開封用タブ１４と収容部分５とを含み、破断部分１７が開封用タブ１４と収容部分５との間に位置決めされる。開封用タブ１４は、容器２の片手での取扱いおよび使用を可能にするために、使用者（例えば、使用者の親指）と係合するように構成される。開封用タブ１４の容器側表面１４’は、消費者の親指または指を受けるように構成される。破断部分１７は、破断点１５を有する破断経路１６を含む。破断経路は経路を画定し、この経路に沿って容器２が破断する。容器は、破断経路に沿って破断または開裂する。この文脈において、「開裂」は、多くの種類の破断を網羅し、引裂き作用、爆発的な引裂き作用、断裂作用などを表す場合がある。
【００２２】
長尺、楕円形、正方形または矩形の構造などの他の形態も考えられるが、収容部分５は、図１〜６に示すような略円筒状の形状および構造を有する。
【００２３】
吐出開口部は、開封用タブ１４に力をかけ、開封用タブ１４をカバーの方向に押圧することで破断点１５を最初に破断させることにより形成される。このことは、先行技術である米国特許出願公開第２０１２／０２２３０７５号明細書で説明されている。破断を開始するのに必要な力は、引裂きを破断経路１６に沿って伝播するのに必要な力よりも大きい。結果として、容器２は、より高い応力に耐えかつ密封状態を維持することができ、その一方で、容器２が破断された時点で簡単に開封することが可能である。破断経路の開裂が伝播するのに必要なより小さな力により破断が開始されると、結果として吐出開口部が注出口２２を形成する容器の破断が迅速に生じる。容器が密閉形態にあるときに開封用タブ１４に加えられた力が、破断点１５の破断のほぼ直後に伝えられ、破断経路１６を破断させる。このことは、部分的には親指または指で力を加える結果による。静止物に力が加えられ、加えられた力の方向に静止物が急に移動するときには、人間の反応時間により開封用タブにかかる力の除去が遅れるため、使用者の指が力をかけ続ける。
【００２４】
本体４は、破断経路１６においてより狭く、その結果、フランジ８は、破断経路１６がリム３に接する箇所でより大きい。このことも、容器の破断経路１６を破断させるために力を集中させるのを補助する。
【００２５】
図１〜図１２は、容器を開封する過程での収容部分５に対する開封用タブ１４の位置を示している。図１〜図６は容器の斜視図であり、その一方で、図７〜１２は、容器の対応する部分縦断面図である。
【００２６】
図１および図７は、完全な密閉形態にある容器を示している。つまり、容器が破断点１５において無傷である。図２および図８は、吐出開口部２０が形成されるように、容器２を破断点１５で破断させ、開封用タブ１４を容器本体４から離れる方向に押しやるのに十分な力が開封用タブ１４に加えられた後の容器を示している。図３〜図５および図９〜図１１は、容器２の開封の種々の段階で開裂が破断経路１６に沿って伝播した状態の容器２を示している。図５および図１１は、破断経路１６に沿って完全に引き裂かれた容器２を示している。開封用タブ１４は、覆い１２により収容部分５に連結され、この箇所で、覆い１２がヒンジ１９を形成する（このことは、図１１の断面図で最も明確に分かる）。フランジは、容器が開封されたときに連結されたままであっても、そうでなくてもよい。
【００２７】
図１２は、完全な開封位置にある、開封用タブ１４付き容器２を示している。この完全な開封位置では、容器空洞７内から内容物（好ましくは、液体）を吐出するために、吐出開口部２０が形成される。
【００２８】
吐出開口部２０は比較的小さい。このような小さな開口部から液体が注がれるときに容器内で真空度が高まるので、小さな開口部はしばしば問題を引き起こす。このことは、液体が容器から追い出されるときに空気が入り追い出された液体と入れ替わることができない理由から生じる。例えば、液体が小さな孔から吐出されたときに空気が空洞内に入ることができない場合には、空洞内に真空が形成される。空気が空洞内に入ることができない場合には、真空が解除されず、容器の側面が十分な剛性を有さない場合に側面がしばしば圧搾される。代替的にまたは追加的に、吐出開口部でメニスカスが形成されて閉塞が生じ、これにより、液体が、乱れた乱流で、またはより簡単には、「ゴボ」、「ゴボ」と音を立てて吐出される。また、液体が注がれているときに少量の空気が容器内に入り液体の流れに取り込まれる場合には、液体が不均一に吐出される可能性がある。
【００２９】
持ち帰り用コーヒーカップなどの一部の容器は、液体が注がれるときに空気が容器内に入ることを可能にし、真空が確実に形成されないようにする第２の孔を蓋に有することによりこの問題を克服する。本発明の容器の開封時に通気孔を作製することは、多くの理由により実用的ではないかまたは望ましくない。そのような１つの理由は、消費者が容器から液体を注いでいる間に通気孔から液体が外に出るからであり、別の理由は、通気孔を作製するために容器覆いに穿孔することが困難であり得るからである。
【００３０】
他の容器は、容器から液体が注がれているときに空気も容器空洞内に入ることができる十分に大きな開口を有することにより上記の問題を克服する。このことは、開口部が大きすぎて、意図されていない場合に開口部から液体がこぼれ出る可能性があるので理想的ではない。加えて、容器内の液面は、容器から液体が確実にこぼれ出ないようにするために、そうでない場合に必要であるよりもはるかに低くなければならない。また、容器の形状により、そのような大きな開口部を有することが必ずしも可能ではない。
【００３１】
本発明の容器は、破断経路１６ひいては（容器が破断経路１６に沿って破断および開裂したときに形成される）吐出開口部２０の形状および形態によりこれらの問題を克服する。図６、図１２および図１４は、容器が完全に開封されたときの容器の吐出開口部２０の形状および形態を描いている。図６は容器の斜視図であり、その一方で、図１２は、完全な開封形態にある容器の吐出開口部２０を示す部分断面図である。図１４および図１５は、吐出開口部２０を見た、完全な開封位置にある容器の図を示している。図６および図１２を参照するに、破断経路１６は、真っ直ぐではなくかつ１つの平面内にない。破断経路１６を、くの字形状などの、一般に角度のある経路と見なしてもよい。破断経路１６は、破断部分１７にかつ破断点１５の両側に破断点１５と容器フランジ８との間に形成される。破断経路１６は、容器フランジ８に略直交する端部分２４と、略直交する各部分２４と破断点１５との間に延びる主要部分２３とを有する。容器は、開封されるときに実際に破断点１５で破断される。本実施形態において、破断経路１６は、破断点１５で開始し、フランジ８に到達する直前まで、角度を有する２３線を容器２の両側に向かってを辿る。破断経路１６は、この箇所で方向を変え、容器フランジ８に略直交する線２４として延びる。端部分２４は一般的に、長さが破断経路長さの１０％〜２５％であるが、最適には、破断経路長さの１５％である。
【００３２】
図６および図１２に示すように、吐出開口部２０は、容器２が破断経路１６に沿って完全に開裂されて開封されたときに形成される。完全な開封形態では、吐出開口部２０は、破断経路１６の形状により画定される注出口２２を形成する。つまり、吐出開口部２０ひいては注出口２２は、図１４および図１５に「正面図」で示すように略三角形状の主要部分２３を有する。図１２の場合と同様に、側面から眺めたときに、２つの端部分２４（三角形状の主要部分２３のそれぞれの端部に１つ）が第１の平面と異なる第２の平面内にあり、主要部分２３は第１の平面内にある。第２の平面は、図１３に示すように、容器フランジ８に直交する。端部分２４および三角形状の主要部分２３は、同じ平面に沿って形成されない。注出口２２を形成する吐出開口部２０の三角形状の主要部分２３は、傾斜しており、かつ容器が完全な開封位置にあるときに収容部分から突出する。三角形状の主要部分２３は、フランジ８に略直交する端部分２４と共に、第１の平面と第２の平面との間に角度αを形成するように構成される。好ましくは、角度αは、１１０°〜１５０°の範囲であり、図１３に示すように、より好ましくは１３０°である。
【００３３】
破断経路の主要部分２３は、注出口の上縁部を画定する。注出口２２の上縁部は、容器の本体から一定の距離だけリム３の下方に突出する。注出口２２は立体的に形成される。注出口および破断経路の形態は、鋭利な破断縁部が使用時に飲む人の皮膚または鼻に食い込むのを防止する。
【００３４】
図１４および図１５を参照するに、容器を正面図で眺めて吐出開口部側を見たときに、破断経路１６は、略真っ直ぐな端部分２４を備えた略Ｖ字形状を形成するが、他の形態（例えば、真っ直ぐではなく円弧状の辺を有するＵ字形状または丸みを帯びたＶ字形状）であってもよい。破断点１５における破断経路１６は、Ｖ字形状であることが好ましいが、他の形態（例えば、Ｕ字形状、丸みを帯びたＶ字形状、丸みを帯びた先端を備えたＶ）を有してもよく、またはＶ字形状が更にニップルを含んでもよい。
【００３５】
このような形態の破断経路１６は、先行技術に伴う問題を克服するまたは少なくとも改善する理由から特に有利である。開封用タブ１４が完全に開封され（図６および図１２）、かつ吐出開口部２０が完全に形成されたときに、破断経路１６に沿った容器２の破断部分１７が（図６および図１２に示すように）注出口２２を形成して、本体４の空洞７内の液体が、乱れた乱流なしにまたは、より簡単には、「ゴボ」、「ゴボ」と音を立てる流れなしに、容器２から円滑かつ均一に注がれることを可能にする。このことは、吐出開口部２０は（容器に対して）小さいが、容器から液体が正常に注がれる際に、容器空洞７から液体が注がれると空気が容器空洞７内に入るため生じる。容器から液体が注がれるときに、液体が、吐出開口部２０全体、具体的にはセクション２６を満たさないので、セクション２６において空気が吐出開口部内に入る。このことは、注出口２２を形成する三角形状部分２３の平面と異なる平面内に端部分２４があることにより形成された吐出開口部の形態による。それゆえ、容器の吐出開口部からの円滑な液体の流れのために容器の空洞に空気が入るようにする通気孔または他の機構が必要ない。
【００３６】
本発明の別の実施形態が図１６〜図２２に示されている。図１６は、吐出可能な物品を空洞２０７内に保存および密封するための代替的な容器２０２を示している。図１６の容器は、容器覆いが被せられる前の密閉形態にある。
【００３７】
図１７および図１８は、密閉形態にある容器２０２を示している。容器２０２の本実施形態は、リム２０３を有する本体２０４を含み、このリム２０３からフランジ２０８が延びる。フランジ２０８は、カバー２１２が固定されるためのカバー側表面２１０を有する。本体２０４は、開封用タブ２１４と収容部分２０５とを含み、破断部分２１７が開封用タブ２１４と収容部分２０５との間に位置決めされる。破断部分２１７は、破断点２１５を有する破断経路２１６を含む。破断経路２１６は経路を画定し、この経路に沿って容器２０２が破断する。容器は、吐出開口部２２０（図２０および図２２に示す）を形成するように破断経路に沿って破断または開裂する。
【００３８】
本実施形態において、収容部分２０５は、大きな湾曲リブ２５１とリブから容器の基部２５３までの傾斜部分２５２とを含む、略円筒状の形状および構造を有する。長尺、楕円形、正方形または矩形の構造などの他の形態も考えられる。
【００３９】
図１６および図１９〜図２２を参照するに、破断経路２１６は、破断すると、吐出開口部２２０の注出口２２２の縁部を形成する。図１９および図２０は、開裂が破断経路２１６に沿って伝播した時点での容器２０２を示している。図１９の側面図に図示するように、側面視での破断経路２１６は、破断点２１５からフランジ２０８の終端に延びる略円弧状線または略曲線を形成する。破断経路は１つの平面内にない。
【００４０】
図２１および図２２は、完全な開封形態にある容器２０２を示している。破断経路２１６は、破断部分２１７（図１７）にかつ破断点２１５の両側に破断点２１５と容器フランジ２０８との間に形成される。破断経路２１６は、容器フランジ２０８に略直交する端部分２２４と、略直交する各部分２２４と破断点２１５との間に延びる主要部分２２３とを有する。本実施形態において、破断経路２１６は、破断点２１５で開始し、リム２０３またはフランジ２０８に到達する直前まで、曲線２２３を容器２０２の両側に向かって辿る。
【００４１】
破断経路２１６は、吐出開口部２２０の注出口２２２を画定する。注出口２２２は、主要部分２２３と端部分２２４とを有する。終端を有する端部分の各々。主要部分２２３は、第１の平面内において破断点２１５で開始し、リム２０３に延びかつ容器フランジ２０８に略直交する端部分２２４に到達するまで、湾曲経路または円弧状経路（破断経路２１６）に沿って徐々に移動する。それゆえ、破断経路２１６ひいては注出口２２２は、端部分２２４の終端が第１の平面と異なる平面内にあるように、第１の平面内の破断点２１５で開始し、多くの平面を通って（連続曲線で）徐々に移動する。より具体的には、破断は、破断点２１５で開始し、次いで、最初の進行方向が第１の平面を画定するように破断経路２１６に沿って外方に伝播する。破断は、最終的な進行方向が第１の平面と異なる第２の平面を画定するように端部分２２４の各終端で完了する。注出口が立体的であることに留意することが重要である。つまり、破断経路は、縦方向成分と横方向成分とを有する。
【００４２】
本実施形態において、容器から液体が注がれるときに、液体が、吐出開口部２２０全体、具体的にはセクション２２６を満たさないので、セクション２２６において空気が吐出開口部２２０内に入る。このことは、注出口２２２を形成する主要部分２２３の平面と異なる平面内に端部分２２４があることにより形成された吐出開口部の形態による。
【００４３】
側面視では、破断経路は、破断点からリムにおける終端すなわち終点にかけて湾曲している。つまり、破断経路が終点においてフランジに略直交する。破断経路は、第１の平面から第２の平面に徐々に移行する。容器の注出口の正面を見た（すなわち、吐出開口部側を見た）ときに、破断経路ひいては注出口が、略真っ直ぐな端部分を備えた円弧状のまたは丸みを帯びたＶ形状を形成する。しかしながら、他の形態（例えば、Ｕ字形状または略Ｖ字形状）も考えられる。破断点における破断経路は、Ｖ字形状であることが好ましいが、他の形態（例えば、Ｕ字形状、丸みを帯びたＶ字形状、丸みを帯びた先端を備えたＶ）を有してもよく、またはＶ字形状が更にニップルを含んでもよい。
【００４４】
開封用タブ２１４は、覆い２１２により収容部分２０５に連結され、この箇所で、覆い２１２がヒンジ２１９を形成する（図１９）。別の実施形態（図示せず）では、破断経路２１６の端部で（すなわち、端部分２２４の終端で）開始する、フランジ２０８もまた、開封用タブ２１４が容器カバー２１２の方向に押しやられたときに破断してもよく、これによりヒンジ２１９を形成する。フランジは、破断経路の端部とフランジの外縁部との間の線において実質的に破断するように断裂する。開封用タブは、容器カバー２１２により収容部分２０５にのみ連結される。そして、開封用タブ２１４は、容器覆い２１２をはぎ取るための簡単な保持ハンドルとして使用することができる。
【００４５】
本発明の破断経路および注出口の構造は、容器ができるだけ多くの液体を確実に保持できるようにするだけでなく、内容物、特に液体内容物が円滑に吐出されることを可能にする理由から特に有利である。この構造は、容器から突出する注出口が、（例えば、牛乳パックに見られるように）注出口を折り広げるなど、容器の構造を変えずに形成され、かつ別個の通気孔または他の機構を必要とせずに空気が容器空洞内に入ることができるので、液体がより均一に流れるようにする。
【００４６】
比較すると、米国特許出願公開第２０１２／０２２３０７５号明細書に開示されている容器の破断経路はある平面に沿って形成される、つまり、容器がその１つの平面に沿って破断される。このことは、１つの平面に沿った破断では突出する注出口を形成できないので、また、空気が吐出開口部を通って容器内に入り吐出された液体と入れ替わることがより困難であるので、上で説明した問題につながる。
【００４７】
容器の構造の更なる利点は、破断経路の破断が不正開封明示機能として働くことである。破断経路が破断されている場合、容器が不正に開封されており、結果として、容器内の内容物が損なわれるかまたは汚染される可能性があることが明らかである。
【００４８】
本明細書で説明するかまたは添付の特許請求の範囲で請求する本発明の精神または範囲から逸脱することなく、上で説明した配置に変更を加えることができる。例えば、容器本体は、長尺形状もしくは他の形状であってもよく、または破断経路は、より鋭い角度もしくは緩い角度を備えた異なる形態を有してもよい。
【図１】
2016520024.tif 000003
【図２】
2016520024.tif 000004
【図３】
2016520024.tif 000005
【図４】
2016520024.tif 000006
【図５】
2016520024.tif 000007
【図６】
2016520024.tif 000008
【図７】
2016520024.tif 000009
【図８】
2016520024.tif 000010
【図９】
2016520024.tif 000011
【図１０】
2016520024.tif 000012
【図１１】
2016520024.tif 000013
【図１２】
2016520024.tif 000014
【図１３】
2016520024.tif 000015
【図１４】
2016520024.tif 000016
【図１５】
2016520024.tif 000017
【図１６】
2016520024.tif 000018
【図１７】
2016520024.tif 000019
【図１８】
2016520024.tif 000020
【図１９】
2016520024.tif 000021
【図２０】
2016520024.tif 000022
【図２１】
2016520024.tif 000023
【図２２】
2016520024.tif 000024
【国際調査報告】
2016520024.tif 000025
2016520024.tif 000026
2016520024.tif 000027